(57)【要約】【課題】本発明は、レンズに予め取り付けられて販売されるレンズキャップを、ＮＤフィルタ機能を有する材料によって製作することにより、別売のＮＤフィルタを購入する必要がなく、また、実際に使用する撮影条件を変えて被写体を撮影するといった煩わしさもなく、レンズ装置の絞りを開放に近い状態にしてベストピント位置にピントを合わす。【解決手段】実施の形態のレンズキャップ２０は、ＮＤフィルタ機能、すなわち、入射光の成分を変えることなく透過光量を減少させる機能を有する材料によって製作されている。レンズキャップ２０は、ポリエチレンテレフタレート、ポリスチレン、アクリロニトリル・スチレン、ポリ塩化ビニル、ポリカーボネート、トリアセテート等の樹脂材料に、光の透過率を減少させる黒色等の着色剤を添加した材料によって樹脂成形されて製作されている。【選択図】        図１
2004184890.tif 000002
【特許請求の範囲】
【請求項１】
レンズの前面に装着されてレンズを保護するレンズキャップにおいて、
前記レンズキャップのレンズに対面する部分をＮＤフィルタ機能を有する材料によって形成したことを特徴とするレンズキャップ。
【請求項２】
前記レンズキャップは、ポリエチレンテレフタレート、ポリスチレン、アクリロニトリル・スチレン、ポリ塩化ビニル、ポリカーボネート、トリアセテート等の樹脂材料に、光の透過率を減少させる着色剤を添加した材料によって製作されていることを特徴とする請求項１に記載のレンズキャップ。
【請求項３】
前記ＮＤフィルタ機能を有する部分が、レンズに光を入射させるために必要な部分のみに形成されていることを特徴とする請求項１に記載のレンズキャップ。
【請求項４】
前記ＮＤフィルタ機能を有する部分は、光の透過率を減少させる着色剤がコーティングされたガラス板によって製作されていることを特徴とする請求項３に記載のレンズキャップ。
【発明の詳細な説明】
【０００１】
【発明の属する技術分野】
本発明はレンズキャップに係り、特にオートアイリスを備えた監視カメラ用レンズ装置に取り付けられるレンズキャップに関する。
【０００２】
【従来の技術】
オートアイリスを備えた監視カメラを設置する場合には、まず、レンズの絞りを開放に近い状態にしたのち、フォーカスレンズを移動させてベストピント位置にピントを合わせる合焦作業を実施する。これは、絞り径の変化による被写界深度の変化に対する影響を小さくするためである。
【０００３】
すなわち、図４に示すように、絞りを絞った状態では被写界深度が深く、開放状態では被写界深度が浅い。このため、絞った状態でピントを合わせようとすると、フォーカスレンズがどの位置にあってもピントが合っているように錯覚するため、ベストピント位置から外れた位置でピントを合わせる場合が多い。この場合、開放時にモデュレーション・トランスファー・ファンクション（ＭＴＦ）が低下してピンボケをおこす。
【０００４】
このような事情から絞りを絞った状態でピントを合わせると、実はベストピントが取れていなかったために、監視用カメラの設置後に被写体照度の変化によって絞りが開放に近づいたとき、ピンボケが発生するという問題があった。なお、図４の縦軸はモデュレーション・トランスファー・ファンクション（ＭＴＦ）であり、横軸はピント位置を示している。
【０００５】
そこで従来は、別売のＮＤフィルタをレンズ装置の前面に装着してレンズ装置に入射する光量を減光させたり、また、被写体を意図的に暗くしたり、電子シャッターを利用したりして絞りを開放に近い状態にしてピントを合わせていた。
【０００６】
なお、ＮＤフィルタ機能を持たせたレンズをテレビカメラ用レンズ装置に適用する技術は公知であり（特許文献１）、また、段階的に径の小さくなる円形ＮＤフィルタ膜を、透明基板上に蒸着により積層形成してなるＮＤフィルタも公知である（特許文献２）。
【０００７】
【特許文献１】
特開平５−１１０９３８号公報  （第３頁、図２）
【０００８】
【特許文献２】
特開平１１−２３８１１号公報  （第２頁、図１）
【０００９】
【発明が解決しようとする課題】
しかしながら、前記従来の監視用カメラは、設置後に不要となる別売のＮＤフィルタをわざわざ購入しなければならず、また、被写体を意図的に暗くするなど、実際に使用する撮影条件を変えなければピントを合わせることができないという煩わしさがあった。
【００１０】
本発明は、このような事情に鑑みてなされたもので、レンズ装置保護用としてレンズ装置に予め装着されているレンズキャップにＮＤフィルタ機能を持たせたレンズキャップを提供することを目的とする。
【００１１】
【課題を解決するための手段】
前記目的を達成するために、本発明のレンズキャップは、ＮＤフィルタ機能を有する材料によって製作されたことを特徴としている。
【００１２】
請求項１に記載のレンズキャップは、ＮＤフィルタ機能、すなわち、入射光の成分を変えることなく透過光量を減少させる機能を有する材料によって製作されている。好適には請求項２に記載の発明の如く、レンズキャップは、ポリエチレンテレフタレート、ポリスチレン、アクリロニトリル・スチレン、ポリ塩化ビニル、ポリカーボネート、トリアセテート等の透明性のある樹脂材料に、光の透過率を減少させる黒色等の着色剤を添加した材料によって樹脂成形することにより製作される。
【００１３】
また、レンズキャップ全体を上記材料で樹脂成形するのではなく、請求項３に記載の発明の如く、レンズに光を入射させるために必要な部分である前面のみに、ＮＤフィルタ機能を有する部分を形成してもよい。請求項４に記載の発明の如く、レンズキャップの前面を、光の透過率を減少させる黒色等の着色剤をコーティングしたガラス板によって製作することが好ましい。
【００１４】
本発明のレンズキャップを用いることによって、別売のＮＤフィルタを購入する必要がなく、また、実際に使用する撮影条件を変えて被写体を撮影するといった煩わしさもなく、絞りを開放に近い状態にすることができ、オートアイリスレンズを使用するカメラを設置する際、コストと時間とを削減することができる。監視カメラ設置後においても、本発明のレンズキャップは、ＮＤフィルタ及びレンズの防塵・傷対策用として使用できるので便利である。
【００１５】
【発明の実施の形態】
以下添付図面に従って本発明に係るレンズキャップの好ましい実施の形態について詳述する。
【００１６】
図１は、監視カメラ１０が建物の天井面１２に棒状支持部材１４を介して設置された状態が示されている。この監視カメラ１０は、箱型に形成されたカメラ本体１６及びレンズ装置１８から構成されている。カメラ本体１６には、図２上で二点鎖線で示すＣＣＤ１７が内蔵され、このＣＣＤの結像面にレンズ装置１８を介して撮影された被写体像が結像される。この被写体像は、監視室（不図示）等に設置されたモニタに表示される。また、監視カメラ１０のレンズ装置１８は、オートアイリスを備えている。
【００１７】
レンズ装置１８に装着される、実施の形態のレンズキャップ２０は、レンズ装置１８の販売時に予めレンズ装置１８の前面に取り付けられてレンズを保護しているものである。このレンズキャップ２０は、通常の不透明な黒色プラスチック製ではなく、ＮＤフィルタ機能、すなわち、入射光の成分を変えることなく透過光量を減少させる機能を有する材料によって製作されている。実施の形態のレンズキャップ２０は、ポリエチレンテレフタレート（ＰＥＴ）の材料に、光の透過率を減少させる黒色等の着色剤を添加した材料によって樹脂成形により製作されている。
【００１８】
なお、ポリエチレンテレフタレート（ＰＥＴ）に限定されるものではなく、例えばポリスチレン（ＰＳ）、アクリロニトリル・スチレン（ＡＳ）、ポリ塩化ビニル（ＰＶＣ）、ポリカーボネート（ＰＣ）、トリアセテート（ＴＡＣ）等の透明性のある樹脂材料であれば適用できる。
【００１９】
レンズキャップ２０を用いて監視カメラ１０のベストピント位置を設定する場合には、まず、天井面１２に設置された監視カメラ１０のレンズ装置１８の前面にレンズキャップ２０を装着する。これにより、レンズ装置１８に入射する光量はレンズキャップ２０によって減少されるので、絞りは開放に近い状態になる。この状態において、レンズ装置１８のフォーカスレンズ２２を保持した移動筒２４を、移動筒２４に突設されたレバー２６を回動操作することによって光軸方向に前後移動させ、ベストピント位置を監視室のモニタで確認する。そして、ベストピント位置を検出したところで、移動筒２４をねじ等の固定部材によってレンズ装置１８の固定筒２８に固定する。
【００２０】
以上の合焦作業によって、監視カメラ１０がベストピント位置に設定される。なお、固定筒２８に対して移動筒２４をヘリコイドねじを介して連結することにより、フォーカスレンズ２２の前後移動が可能になる。
【００２１】
このように、実施の形態のレンズキャップ２０によれば、ＮＤフィルタ機能を有する材料によって製作されているので、別売のＮＤフィルタを購入する必要がなく、また、実際に使用する撮影条件を変えて被写体を撮影するといった煩わしさもなく、絞りを開放に近い状態にすることができる。よって、オートアイリスレンズを使用する監視カメラ１０を設置する際、コストと時間とを削減することができる。また、監視カメラ１０の設置後においても、レンズキャップ２０はＮＤフィルタ及びレンズの防塵・傷対策用として使用できるので便利である。
【００２２】
実施の形態のレンズキャップ２０は、レンズキャップ２０全体を前述の材料で樹脂成形することにより製作したが、これに限定されるものではない。すなわち、レンズキャップ２０のうちレンズ装置１８に光を入射させるために必要な部分である前面（レンズに対面する部分）のみに、ＮＤフィルタ機能を有する部分を形成してもよい。すなわち、図３の如くレンズキャップ３０の前面を、光の透過率を減少させる黒色等の着色剤をコーティングした円形のガラス板３２によって製作し、他のローレット部分３４を樹脂によって製作してもよい。
【００２３】
【発明の効果】
以上説明したように本発明に係るレンズキャップによれば、ＮＤフィルタ機能を有する材料によって製作されているので、別売のＮＤフィルタを購入する必要がなく、また、実際に使用する撮影条件を変えて被写体を撮影するといった煩わしさもなく、絞りを開放に近い状態にすることができ、オートアイリスレンズを使用する監視カメラを設置する際、コストと時間とを削減することができる。監視カメラの設置後においても、本発明のレンズキャップは、ＮＤフィルタ及びレンズの防塵・傷対策用として使用できるので便利である。
【００２４】
また、本発明は、ポリエチレンテレフタレート、ポリスチレン、アクリロニトリル・スチレン、ポリ塩化ビニル、ポリカーボネート、トリアセテート等の樹脂材料に、光の透過率を減少させる黒色等の着色剤を添加した材料によって樹脂成形により製作したので、レンズキャップを容易に製作できる。
【００２５】
更に、レンズキャップ全体を上記材料で製作するのではなく、レンズに光を入射させるために必要な部分であるレンズに対面する部分のみに、ＮＤフィルタ機能を有する部分を形成してもよい。例えば、レンズキャップの前面を、光の透過率を減少させる黒色等の着色剤をコーティングしたガラス板によって製作することによって、ＮＤフィルタ機能を有する好適なレンズキャップを得ることができる。
【図面の簡単な説明】
【図１】実施の形態のレンズキャップが監視カメラ用レンズ装置に装着される説明図
【図２】図１に示したレンズキャップの拡大図
【図３】前面がガラス製であるレンズキャップの拡大斜視図
【図４】ピント位置とＭＴＦとの関係を示したグラフ
【符号の説明】
１０…監視カメラ、１４…支持部材、１６…カメラ本体、１８…レンズ装置、２０、３０…レンズキャップ、２２…フォーカスレンズ、２４…移動筒、２６…レバー、２８…固定筒、３２…ガラス板、３４…環状ねじ部
【図１】
2004184890.tif 000003
【図２】
2004184890.tif 000004
【図３】
2004184890.tif 000005
【図４】
2004184890.tif 000006